(57)【特許請求の範囲】
【請求項１】
記録紙上の現像剤像を該記録紙上に定着させるための第１の定着手段と、
記録紙上の現像剤像を該記録紙上に定着させるための第２の定着手段と、
前記第１の定着手段を通過した記録紙を冷却するための冷却手段と、
前記第１の定着手段から前記冷却手段および前記第２の定着手段を経て外部へ至る搬送路を有し、該搬送路に沿って前記第１の定着手段を通過した記録紙を搬送する搬送手段と、
前記搬送手段により前記第１の定着手段を通過した記録紙が前記冷却手段を経て前記第２の定着手段まで搬送されるのに要する搬送時間を予測する搬送時間予測手段と、
前記搬送時間予測手段により予測された搬送時間が長くなるほど、前記冷却手段の出力を弱くする制御手段とを備えることを特徴とする画像形成装置。
【請求項２】
前記冷却手段は、冷却ファンであることを特徴とする請求項１記載の画像形成装置。
【請求項３】
前記制御手段は、前記搬送時間予測手段により予測された搬送時間に応じて、前記冷却手段を停止させた状態と前記冷却手段を半速回転で駆動した状態とのいずれかにすることを特徴とする請求項２記載の画像形成装置。
【請求項４】
前記搬送時間予測手段は、前記冷却手段から前記第２の定着手段までの搬送距離、前記搬送手段による記録紙の搬送速度、および前記搬送手段により記録紙が搬送される際の記録紙の一時停止時間に基づいて、前記搬送手段により前記第１の定着手段を通過した記録紙が前記冷却手段を経て前記第２の定着手段まで搬送されるのに要する搬送時間を予測することを特徴とする請求項１記載の画像形成装置。
【請求項５】
前記制御手段は、前記搬送時間予測手段により予測された時間に応じて、前記第１の定着手段を通過した記録紙が前記第２の定着手段へ到達した際の該記録紙の温度が所定温度となるように前記冷却手段の出力を制御することを特徴とする請求項１記載の画像形成装置。
【請求項６】
前記所定温度は、少なくとも前記記録紙のサイズ、材質、厚さを含む記録紙に関する情報に応じて、設定される温度であることを特徴とする請求項５記載の画像形成装置。
【請求項７】
前記記録紙は、樹脂層が形成された記録紙であることを特徴とする請求項１ないし６のいずれか１つに記載の画像形成装置。
【請求項８】
記録紙上の現像剤像を該記録紙上に定着させるための第１の定着手段と、記録紙上の現像剤像を該記録紙上に定着させるための第２の定着手段と、前記第１の定着手段を通過した記録紙を冷却するための冷却手段と、前記第１の定着手段から前記冷却手段および前記第２の定着手段を経て外部へ至る搬送路を有し、該搬送路に沿って前記第１の定着手段を通過した記録紙を搬送する搬送手段とを備える画像形成装置の制御方法であって、
前記第１の定着手段を通過した記録紙が、前記搬送路に沿って、前記冷却手段を経て前記第２の定着手段まで搬送されるのに要する搬送時間を予測する搬送時間予測工程と、
前記予測された搬送時間が長くなるほど、前記冷却手段の出力を弱くする冷却出力制御工程と、
前記第１の定着手段を通過した記録紙が前記搬送路に沿って外部へ排出されるように前記搬送手段を制御する搬送制御工程とを有することを特徴とする画像形成装置の制御方法。
【発明の詳細な説明】
【技術分野】
【０００１】
本発明は、複数の定着手段を備える画像形成装置およびその制御方法に関する。
【背景技術】
【０００２】
従来、複写機やプリンタなどの画像形成装置として、電子写真方式を用いたものが広く知られており、この電子写真方式の画像形成装置には、白黒画像のみならず、フルカラー画像を形成することが可能な装置がある。また、電子写真方式の画像形成装置が様々な分野で使用されることに伴い、高画質化の要求が高まりつつある。ここで、画質、特にフルカラー画像の光沢度を決定する要因の一つとしては、出力画像の平滑性を挙げることができ、この平滑性を高めることが強く要求されている。このような要求に対して、熱可塑性樹脂からなる透明樹脂層を設けた記録紙に、熱可塑性樹脂からなるカラートナー像を転写し、定着することによりカラー画像を形成する画像形成方法が提案されている（例えば特許文献１および２参照）。
【０００３】
上記画像形成方法に好適な定着器として、ベルト定着器が提案されている（例えば特許文献３および４参照）。このベルト定着器においては、未定着トナー像を担持した記録紙が耐熱フィルムからなる定着ベルトで熱圧され、その記録紙は、定着ベルトに密着された状態で冷却される。これにより、トナー像は固化されて記録紙に定着される。そして、トナー像が定着された記録紙は、定着ベルトから剥離され、外部へ排紙される。
【０００４】
ここで、上記ベルト定着器により、トナー像が記録紙の透明樹脂層に埋め込まれた状態で透明樹脂層とともに、ベルト表面形状にならって凝固し、記録紙全面が平滑な面となるので、光沢性に優れたカラー画像を得ることができる。
【０００５】
また、上記透明樹脂層を有する記録紙としては、ガラス転移温度が３５８Ｋ以下である熱可塑性樹脂を主成分とする厚さが１０μｍ程度の樹脂層が形成されたものが提案されている（例えば特許文献５参照）。
【０００６】
また、上記透明樹脂層を有する記録紙に対して画像形成を行うことが可能な画像形成装置として、第１の定着器と、ベルト定着器からなる第２の定着器とが設けられているものがある。このような画像形成装置においては、記録紙の種別に応じて第１の定着モードと第２の定着モードとの切換が行われる。第１の定着モードは、通常の記録紙に対する定着モードであり、このモードの場合、トナー像が転写された記録紙は、第１の定着手段のみを通過するように搬送される。第２の定着モードは、透明樹脂層を有する記録紙に対する定着モードである。この第２の定着モードの場合、まず、第１の定着器により透明樹脂層を有する記録紙上のトナー像が当該記録紙上に定着される。次いで、この記録紙は第２の定着器に送られる。第２の定着器においては、記録紙上の透明樹脂層にトナー像が埋め込まれた状態になるように定着が行われる。
【０００７】
通常、定着器を通過した後の記録紙は、内部に熱が蓄熱された状態にあるので、このような状態で記録紙が屈曲した搬送パスを通紙すると、記録紙のカールが発生する。また、定着器で熱圧されたトナー像が乾燥する前に、当該トナー像が搬送ローラ、ガイドリブなどによって擦られ、その跡が光沢ムラとなって見える現象などが発生する。よって、このような記録紙のカール、トナー像の擦れ跡などの発生を抑えるために、第１の定着器を通過した直後の記録紙を急速に冷却するための冷却手段が設けられている。そして、上記第１の定着モードにおいては、記録紙が第１の定着器を通過した直後に冷却手段により急速に冷却される。
【０００８】
上記第２の定着モードにおいて、第１の定着モードと同様に、第１の定着器を通過した記録紙（透明樹脂層を有する記録紙）を急速冷却する場合、一旦冷却された記録紙は再度第２の定着器で加熱されることになる。一旦冷却した記録紙を所定温度まで加熱するためには、第２の定着器の熱容量を大きくする、温調温度を上げる、または定着ニップ圧を高めるなどの方法を取る必要があるがある。
【特許文献１】特開昭６４−３５４５２号公報
【特許文献２】特開平５−２１６３２２号公報
【特許文献３】特開平５−２１６５８０号公報
【特許文献４】特開平４−３６２６７９号公報
【特許文献５】特開２００３−０８４４７７号公報
【発明の開示】
【発明が解決しようとする課題】
【０００９】
しかしながら、第２の定着器において、当該第２の定着器の熱容量を大きくするまたは温調温度を上げるためには、第２の定着器に供給する電力量が増すことになる。すなわち、第２の定着器における消費電力が増すことになる。また、定着ニップ圧を高める場合、定着ローラまたは加圧ローラの駆動モータのトルクアップが必要になり、第２の定着器における駆動機構が大きくなり、また、記録紙の分離性の悪化などを招くことになる。
【００１０】
本発明の目的は、第２の定着手段における無駄な電力消費の増大および駆動機構の大型化を招くことなく、光沢ムラがない高画質な画像を安定に出力することができる画像形成装置およびその制御方法を提供することにある。
【課題を解決するための手段】
【００１１】
本発明は、上記目的を達成するため、記録紙上の現像剤像を該記録紙上に定着させるための第１の定着手段と、記録紙上の現像剤像を該記録紙上に定着させるための第２の定着手段と、前記第１の定着手段を通過した記録紙を冷却するための冷却手段と、前記第１の定着手段から前記冷却手段および前記第２の定着手段を経て外部へ至る搬送路を有し、該搬送路に沿って前記第１の定着手段を通過した記録紙を搬送する搬送手段と、前記搬送手段により前記第１の定着手段を通過した記録紙が前記冷却手段を経て前記第２の定着手段まで搬送されるのに要する搬送時間を予測する搬送時間予測手段と、前記搬送時間予測手段により予測された搬送時間が長くなるほど、前記冷却手段の出力を弱くする制御手段とを備えることを特徴とする画像形成装置を提供する。
【００１３】
また、本発明は、上記目的を達成するため、上記画像形成装置の制御方法を提供する。
【発明の効果】
【００１４】
本発明によれば、第２の定着手段における無駄な電力消費の増大および駆動機構の大型化を招くことなく、光沢ムラがない高画質な画像を安定に出力することができる。
【発明を実施するための最良の形態】
【００１５】
以下、本発明の実施の形態について図面を参照しながら説明する。
【００１６】
（第１の実施の形態）
図１は本発明の第１の実施の形態に係る画像形成装置の構成を示す縦断面図である。
【００１７】
画像形成装置Ａは、図１に示すように、記録紙上にカラー画像を形成することが可能なタンデム型の画像形成装置である。この画像形成装置Ａにおいては、イエロー、マゼンタ、シアン、ブラックの各色の画像形成ステーションが設けられている。イエローの画像形成ステーションは、感光ドラム１１ａと、一次帯電器２１ａ、レーザユニット１２ａ、現像器３１ａ、および転写器２２ａを有する。一次帯電器２１ａは、感光ドラム１１ａの表面を所定の電位に一様に帯電する。レーザユニット１２ａは、レーザ光を走査しながら感光ドラム１１ａに照射する。これにより、感光ドラム１１ａ上には、潜像が形成される。現像器３１ａは、感光ドラム１１ａに対して対応する色のトナーを供給し、感光ドラム１１ａに形成された潜像をトナー像として可視像化する。転写器２２ａは、感光ドラム１１ａ上のトナー像を、給紙カセット３ａ，３ｂから給紙されて転写ベルト３２により搬送される記録紙上に転写する。
【００１８】
マゼンタの画像形成ステーションは、イエローの画像形成ステーションと同様に、感光ドラム１１ｂ、一次帯電器２１ｂ、レーザユニット１２ｂ、現像器３１ｂ、および転写器２２ｂを有する。また、同様に、シアン、ブラックの画像形成ステーションのそれぞれは、感光ドラム１１ｃ，１１ｄ、一次帯電器２１ｃ，２１ｄ、レーザユニット１２ｃ，１２ｄ、現像器３１ｃ，３１ｄ、および転写器２２ｃ，２２ｄを有する。
【００１９】
給紙カセット３ａ，３ｂから給紙される記録紙は、給紙ローラ１３ａ，１３ｂおよび搬送ローラ２３ａ，２３ｂを経て転写ベルト３２へ搬送される。転写ベルト３２は、記録紙が各画像形成ステーションを順に通過するように、当該記録紙を担持しながら搬送する。記録紙が各画像形成ステーションを通過する際に、各画像形成ステーションにおいて形成されたトナー像が記録紙上に重ね合わされて転写される。これにより、記録紙上にはフルカラーのトナー像が形成されることになる。
【００２０】
転写ベルト３２により担持された記録紙は、転写ベルト３２から分離されて、第１の定着器４０へ導かれる。第１の定着器４０は、ヒータ４３を内蔵する定着ローラ４１と、ヒータ４４を内蔵する加圧ローラ４２とを有する。定着ローラ４１と加圧ローラ４２とは、互いに所定の圧力で押し付けられている。定着ローラ４１と加圧ローラ４２との間には、記録紙を狭持搬送するためのニップ部が形成される。定着ローラ４１、加圧ローラ４２のそれぞれの表面温度は、各ヒータ４３，４４の駆動を制御することにより、所定の定着温度により保持される。この第１の定着器４０においては、記録紙が上記ニップ部を通過する際に熱と圧力が加えられ、記録紙上のトナー像は当該記録紙上に定着される。
【００２１】
第１の定着器４０を通過した記録紙は、搬送路４５に沿って排出ローラ３３へ向けて導かれ、排出ローラ３３は、記録紙を搬送路４６に沿って第２の定着器５０へ送る。ここで、第１の定着器４０の出口近傍位置には、第１の定着器４０を通過した記録紙を冷却するための冷却ファン４３が配置されている。
【００２２】
第２の定着器５０は、ベルト定着器５０Ａを有する。第２の定着器５０においては、画像形成装置Ａから送られた記録紙が各搬送ローラ７０，７１，７２，７３により搬送路１０４に沿って、フラッパ１０７へ向けて搬送される。ここで、搬送ローラ７１と搬送ローラ７２との間の位置には、温度センサ１０９が設けられている。また、搬送路１０４上には、記録紙を検知するための複数のセンサ９０，９１，９２，９３が設けられている。
【００２３】
フラッパ１０７は、後述する定着モードに応じて、記録紙の搬送先を切り換えるように動作する。定着モードが第１の定着モードである場合、フラッパ１０７は、記録紙を搬送路１０８へ導くように切り換え動作を行う。フラッパ１０７により搬送路１０８に導かれた記録紙は、排出ローラ７４を経て、排紙トレイ１３１ａへ排出される。排出ローラ７４の近傍位置には、記録紙を検知するためのセンサ９４が設けられている。
【００２４】
また、定着モードが第２の定着モードである場合、フラッパ１０７は、記録紙を搬送路１０５へ導くように切り換え動作を行う。搬送路１０５へ導かれた記録紙は、搬送ローラ７５によりレジストローラ６３に向けて搬送される。レジストローラ６３は、記録紙を一旦停止させた後に、所定のタイミングでベルト定着器５０Ａへ送り出す。このベルト定着器５０Ａの詳細については、後述する。ここで、搬送路１０５上の搬送ローラ７５とレジストローラ６３との間の位置には、記録紙の先端を検知するレジストセンサ６２が設けられている。
【００２５】
ベルト定着器５０Ａを通過した記録紙は、各搬送ローラ７７，７８，７９により、搬送路１０６に沿ってカッター部８３に送られる。カッター部８３は、記録紙の左右端（搬送方向に沿う各縁部）を所定裁断幅で裁断する。カッター部８３により左右端が裁断された記録紙は、搬送ローラ８０によりカッター部８４へ送られる。カッター部８４は、記録紙の上下端（搬送方向と直交する方向に沿う各縁部）を所定幅で裁断する。ここで、各カッター部８３，８４の所定裁断幅は、記録紙の左右端または上下端の余白領域幅より狭い幅である。また、各カッター部８３，８４に対する記録紙の位置決めは、各搬送ローラ７９，８０，８１により行われる。カッター部８４により上下端が裁断された記録紙は、排出ローラ８２により、排紙トレイ１３１ｂへ排出される。
【００２６】
上記搬送路１０６上には、記録紙を検知するための複数のセンサ９６，９７，９８が設けられている。また、搬送ローラ７９の下流側には、記録紙を検知するためのセンサ９９が設けられている。また、搬送路９１と搬送ローラ９２との間の位置には、記録紙を検知するためのセンサ１００が設けられている。
【００２７】
第２の定着器５０には、インサータ１０３が設けられている。インサータ１０３は、記録紙間に挿入するためのインサータ紙を搬送路１０２に沿って給紙する。
【００２８】
上記ベルト定着器５０Ａは、記録紙を担持しながら搬送するための無端状の定着ベルト５６を有する。定着ベルト５６は、定着ローラ５１、従動ローラ５３、およびテンションローラ５４に掛け渡されている。定着ベルト５６は、定着ローラ５１により駆動され、定着ベルト５６のホームポジションは、センサ６１により検出される。定着ローラ５１には、定着ベルト５６を挟んで対向する加圧ローラ５２が所定の圧力で押し付けられている。
【００２９】
定着ベルト５６は、無端状の基材からなり、その表面（記録紙または加圧ローラ５２に当接する面）には、鏡面状の離型層が形成されている。例えば、基材は、厚さ１００μｍのステンレスシートのベルトで構成されている。また、離型層は、厚さ１０μｍのＰＦＡにより構成される。
【００３０】
定着ローラ５１は、円筒状部材からなるコア部を有し、コア部の表面には、弾性層が形成され、この弾性層上には、離型層が形成されている。例えば、コア部は、直径４４ｍｍ、厚さ５ｍｍのアルミニウム製中空パイプから構成される。また、弾性層はＪＩＳ−Ａ硬度５０度、厚さ３ｍｍのシリコンゴムから構成され、離型層は厚さ５０μｍのＰＦＡから構成される。また、上記コア部には、熱源としてのハロゲンランプ５８が内蔵されている。また、加圧ローラ５２は、定着ローラ５１と同様の構成を有し、加圧ローラ５２には、ハロゲンランプ５９が内蔵されている。
【００３１】
定着ローラ５１および加圧ローラ５２の表面温度は、サーミスタ８５，８６により検知される。各サーミスタ８５，８６により検知された温度に基づいてハロゲンランプ５８，５９の駆動が制御され、定着ローラ５１および加圧ローラ５２の表面の温度が所定の定着温度になるように制御される。
【００３２】
定着ローラ５１と従動ローラ５３との間には、定着ベルト５６に担持されている記録紙を冷却するための冷却ファン５５が設けられている。冷却ファン５５は、定着ベルト５６の裏側に配置されており、定着ベルト５６の裏側から表面側へ向うエアフローを発生する。
【００３３】
そして、上記冷却ファン５５により冷却される領域における定着ベルト５６の曲率が定着ベルト５６の剛性によってほぼ一定の曲率に保持されるように、定着ベルト５６にはテンションローラ５４により所定の張力が与えられている。
【００３４】
本実施の形態においては、画像形成に用いられる記録紙として、通常の記録紙（以下、第１種記録紙という）と、熱可塑性樹脂を主成分とする透明樹脂層が形成されている記録紙（以下、第２種記録紙という）とを用いることが可能である。第１種記録紙に対して画像形成を行う場合には、第１の定着モードが、第２種記録紙に対して画像形成を行う場合には、第２の定着モードが選択されて実行される。
【００３５】
第１の定着モードは、第１の定着器４０のみを用いて、第１種記録紙上のトナー像を当該記録紙上に定着させるモードである。第２の定着モードは、第１の定着器４０および第２の定着器５０を用いて、第２種記録紙上のトナー像を当該記録紙上に定着させるモードである。
【００３６】
ここで、上記第２種記録紙は、接着剤および顔料を主成分とする顔料塗工層を少なくとも一面に有する基材と、上記顔料塗工層上に設けられた熱可塑性樹脂を主成分とする樹脂層とを有する。上記樹脂層は、熱可塑性樹脂および熱硬化性樹脂を主成分として含有するが、これに代えて、熱可塑性樹脂および熱硬化性樹脂を混合した混合樹脂層としてもよい。また、上記樹脂層を、熱可塑性樹脂を主成分とする熱可塑性樹脂層と熱硬化性樹脂を主成分とする熱硬化性樹脂層とを含む複数の層から構成してもよい。但し、複数の層で構成される場合、その最上層は、熱硬化性樹脂を主成分として含有する熱硬化性樹脂層である。また、これら混合樹脂層、熱可塑性樹脂層、熱硬化性樹脂層を組み合わせた層構成を採用することも可能であるが、その最上層は、混合樹脂層や熱硬化性樹脂層などの熱硬化性樹脂を含む層とする必要がある。熱可塑性樹脂としては、ポリエステル樹脂、スチレン−アクリル酸エステル、スチレン−メタクリル酸エステルなどを用いることができるが、特にポリエステル樹脂を用いることが好ましい。
【００３７】
次に、画像形成装置Ａおよび第２の定着器５０を含む装置全体の制御構成について図２を参照しながら説明する。図２は図１の画像形成装置Ａおよび第２の定着器５０を含む装置全体の制御を行う制御構成を示すブロック図である。
【００３８】
画像形成装置Ａおよび第２の定着器５０を含む装置全体の制御は、図２に示すように、コントローラ４００により行われる。コントローラ４００は、ＣＰＵ４０１と、ＲＯＭ４０２と、ＲＡＭ４０３と、Ｉ／Ｏ（入出力ポート）４０４と、ＳＣＩ（シリアル通信コミュニケーションインターフェイス）４０９とを有する。ＲＯＭ４０２には、ＣＰＵ４０１により実行される制御プログラムが格納されている。ＲＡＭ４０３は、ＣＰＵ４０１の作業領域を提供する。Ｉ／Ｏ４０４は、センサ４０６群の出力を取り込み、取り込まれた出力をＣＰＵ４０１へ送出する。ここで、センサ群４０６には、画像形成装置Ａ内の記録紙を検知するためのセンサ、装置内の温度を検知するための温度センサなどが含まれる。また、Ｉ／Ｏ４０４は、ＣＰＵ４０１から入力された、負荷群４０７の駆動を制御するための制御信号をドライバ４０５へ出力する。ここで、各種負荷群４０７には、冷却ファン４３、定着ローラ４１、定着ベルト３２などの各種駆動モータ、クラッチ、ソレノイドなどが含まれる。ドライバ４０５は、上記制御信号に基づいて対応する負荷を駆動する。また、ＳＣＩ４０９は、第２の定着器５０のコントローラ５００と接続され、コントローラ４００は、ＳＣＩ４０９を介してコントローラ５００との間で情報の送受を行う。
【００３９】
コントローラ４００のＣＰＵ４０１は、設定されたモードに応じて画像形成に関する各種動作を制御する。例えば、ＣＰＵ４０１は、ＡＤポートを介して入力された、定着ローラ４１の表面温度を検出するサーミスタ４０８の出力に基づいてヒータ４３，４４の駆動を制御する。これにより、定着ローラ４１および加圧ローラ４２の表面の温度が所定の定着温度になるように制御される。また、ＣＰＵ４０１は、設定された定着モードに応じて、冷却ファン４３の出力を可変するようにその駆動を制御する。この冷却ファン４３の駆動制御の詳細については後述する。
【００４０】
第２の定着器５０のコントローラ５００は、画像形成装置Ａのコントローラ４００から入力される命令に基づいて、第２の定着器５０内の各センサの出力を監視しながら各種制御を行う。例えば、ベルト定着器５０Ａにおける温度制御、フラッパ１０７による記録紙の搬送先の切り換え制御、各搬送ローラによる記録紙の搬送制御、カッター部８３，８４の動作制御などが行われる。このコントローラ５００は、コントローラ４００と同様の構成を有し、その構成の詳細は省略する。
【００４１】
次に、上記第１の定着モードの詳細について説明する。
【００４２】
第１種記録紙に対して画像形成を行う場合に、第１の定着モードが実行される。第１種記録紙は、トナー像が転写された後に、第１の定着器４０に送られる。トナー像が転写された第１種記録紙は、第１の定着器４０において、熱圧され、トナー像は第１種記録紙上に定着される。そして、第１の定着器４０を通過した第１種記録紙は、冷却ファン４３により急速に冷却された後に、画像形成装置Ａから第２の定着器５０へ送られる。
【００４３】
第２の定着器５０に送られた第１種記録紙は、各搬送ローラ７０，７１，７２，７３により、搬送路１０４に沿って搬送され、フラッパ１０７により搬送路１０８へ導かれる。搬送路１０８へ導かれた第１種記録紙は、排出ローラ７４により排紙トレイ１３１ａ上へ排出される。
【００４４】
ここで、第１の定着器４０を通過した第１種記録紙が、冷却ファン４３により冷却されることなく、搬送されると、第１種記録紙に蓄積された熱が徐々に放散されることに伴い、第１種記録紙は次第にカールする。そして、この第１の記録紙は、カールされた状態で排出トレイ１３１ａ上へ排出されることになる。このようにカールした第１種記録紙が連続的に排紙トレイ１３１ａ上に排出されると、排出トレイ１３１ａにおける第１種記録紙の積載性が悪くなるとともに、出力紙の品位が損なわれることになる。
【００４５】
また、第１の定着器４０を通過した第１種記録紙が冷却ファン４３により冷却されない場合、定着された第１種記録紙上のトナー像が乾燥する前に、このトナー像が搬送ローラ、ガイドリブなどと接触して擦られると、擦られた部分が光沢ムラとなる。その結果、第１種記録紙上に形成された画質を低下させることになる。
【００４６】
よって、第１の定着器４０を通過した第１種記録紙を冷却ファン４３により冷却することは必要であり、この冷却ファン４３の駆動は、コントローラ４００により制御される。また、第２の定着器５０が画像形成装置Ａに接続されていない場合も同様に、第１の定着器４０を通過した第１種記録紙を冷却ファン４３により冷却することが行われる。
【００４７】
次に、上記第２の定着モードの詳細について図３〜図７を参照しながら説明する。図３（ａ）は第１の定着器４０を通過した後の第２種記録紙上のトナー像の定着状態を模式的に示す図、図３（ｂ）はベルト定着器５０Ａを通過した後の第２種記録紙上のトナー像の定着状態を模式的に示す図である。図４は第２の定着器５０の定着ベルト５６から第２種記録紙が剥離する際の状態を模式的に示す図である。図５〜図７は第２種記録紙を用いて連続して画像形成を行う場合の第２種記録紙の流れを模式的に示す図である。ここでは、写真モードで連続して５枚の第２種記録紙に対して画像形成を行う場合を説明する。
【００４８】
５枚の第２種記録紙Ｐ１〜Ｐ５に対して連続して画像形成を行う場合、まず１枚目の第２種記録紙Ｐ１に対する各色のトナー像が形成され、１枚目の第２種記録紙Ｐ１が所定のタイミングで給紙される。そして、第２種記録紙Ｐ１に各色のトナー像が重ね合わされて転写され、第２種記録紙Ｐ１上には、フルカラートナー像が転写されることになる。この第２種記録紙Ｐ１は、第１の定着器４０に送られる。１枚目の第２種記録紙Ｐ１は、第１の定着器４０において、熱圧され、トナー像は第２種記録紙Ｐ１上に定着される。そして、第１の定着器４０を通過した第２種記録紙Ｐ１は、冷却ファン４３により冷却された後に、画像形成装置Ａから第２の定着器５０へ送られる。ここで、冷却ファン４３は、第２の定着モードに応じた制御により駆動されている。第２の定着モードにおける冷却ファン４３の駆動制御の詳細については後述する。
【００４９】
第２の定着器５０に送られた第２種記録紙Ｐ１は、各搬送ローラ７０，７１，７２，７３により、搬送路１０４に沿って搬送され、フラッパ１０７により搬送路１０５へ導かれる。そして、搬送路１０５へ導かれた第２種記録紙Ｐ１は、搬送ローラ７５により搬送され、センサ６２により検知されると、第２種記録紙Ｐ１の先端がレジストローラ６３に突き当てられた状態で一旦停止される。このとき、図５に示すように、２枚目の第２種記録紙Ｐ２は、センサ９２により検出され、搬送ローラ７２に挟持された状態で停止されている。また、３枚目の第２種記録紙は、画像形成装置Ａの第１の定着器４０を通過中である。さらに、４枚目の第２種記録紙Ｐ４は、転写ベルト３２に担持されて搬送され、第２種記録紙Ｐ４に対して画像形成動作が実行されている。さらに、５枚目の第２種記録紙Ｐ５は、給紙カセット３ａから給紙され、転写ベルト３２に向けて搬送されている状態にある。
【００５０】
第２種記録紙Ｐ１がレジストローラ６３に突き当てられた状態で一旦停止されているとき、定着ベルト５６は既に駆動されている。そして、定着ベルト５６のホームポジションを検知するセンサ６１の出力に基づいて定着ベルト５６上の記録紙貼り付け位置ＨＴが定着ベルト５６と加圧ローラ５２との間のニップ部に到達するタイミングが、ＣＰＵ４０１により算出される。この算出されたタイミングと第２種記録紙Ｐ１の先端が上記ニップ部に到達するタイミングとが同期するように、レジストローラ６３は回転駆動され、第２種記録紙Ｐ１は上記ニップ部へ送り出される。ここで、上記定着ベルト５６上の記録紙貼り付け位置ＨＴとは、定着ベルト５６上における第２種記録紙を担持する（貼り付ける）ための基準位置である。第２種記録紙は、その先端が記録紙貼り付け位置ＨＴとなるように定着ベルト５６上に担持（貼り付け）される。
【００５１】
次いで、第２種記録紙Ｐ１は上記ニップ部を通過する。この際に第２種記録紙Ｐ１および第２宿記録紙Ｐ１上のトナー像は、定着ローラ５１と加圧ローラ５２とにより、所定の定着温度で加熱されるとともに、所定の圧力で押圧される。これにより、第２種記録紙Ｐ１に形成されている透明樹脂層は軟化し、透明樹脂層にトナー像が埋め込まれる状態になる。
【００５２】
詳細には、図３（ａ）に示すように、定着ベルト５６と加圧ローラ５２との間のニップ部を通過する前の第２種記録紙Ｐにおいては、そのトナー像Ｔが、第２種記録紙Ｐの基材Ｐａ上に形成された透明樹脂層Ｐｂ上に載っているような状態で定着されている。そして、第２種記録紙Ｐが上記ニップ部を通過すると、図３（ｂ）に示すように、第２種記録紙Ｐの透明樹脂層Ｐｂは軟化し、透明樹脂層Ｐｂにトナー像Ｔが埋め込まれる。これと同時に、第２種記録紙Ｐは定着ベルト５６上に担持されながら搬送される。
【００５３】
次いで、定着ベルト５６により搬送された第２種記録紙Ｐ１が冷却ファン５５による冷却領域に到達すると、この冷却領域において、第２種記録紙Ｐ１は、冷却ファン５５により発生されるエアフローにより、冷却される。ここで、冷却ファン５５により発生されるエアフローは、第２種記録紙を効率よく冷却するように、ダクト（図示せず）により上記冷却領域に導かれる。
【００５４】
このようにして冷却された第２種記録紙Ｐ１は、従動ローラ５３により定着ベルト５６の曲率が変化する領域に達すると、自らの剛性（こし）により、定着ベルト５６表面から剥離される。詳細には、図４に示すように、第２種記録紙Ｐは、定着ベルト５６の記録紙貼り付け位置ＨＴが従動ローラ５３により定着ベルト５６の曲率が変化する領域に到達した後、第２種記録紙Ｐの先端から、定着ベルト５６表面から剥離し始める。
【００５５】
次いで、図６に示すように、定着ベルト５６から剥離された第２種記録紙Ｐ１は、搬送路１０６に沿って搬送され、センサ９７を通過する。第２種記録紙Ｐ１がセンサ９７を通過すると、２枚目の第２種記録紙Ｐ２は、定着ベルト５６と加圧ローラ５２との間のニップ部へ送り出される。そして、上記ニップ部において、第２種記録紙Ｐ２は熱圧され、そのトナー像は第２種記録紙Ｐ２の透明樹脂層に埋め込まれる。３枚目の第２種記録紙Ｐ３は、センサ６２により検出され、その先端がレジストローラ６３に突き当てられた状態で一旦停止される。４枚目の第２種記録紙Ｐ４は、センサ９２により検出され、搬送ローラ７２に挟持された状態で停止される。５枚目の第２種記録紙Ｐ５は、画像形成装置Ａの第１の定着器４０を通過中である。
【００５６】
そして、図７に示すように、１枚目の第２種記録紙Ｐ１は、カッタレジ前センサ９８まで搬送され、搬送ローラ７９に挟持されて、一旦停止される。このとき、２枚目の第２種記録紙Ｐ２は、定着ベルト５６から剥離され、搬送路１０６に沿って搬送されている。また、３枚目の第２種記録紙Ｐ３は、定着ベルト５６と加圧ローラ５２との間のニップ部を通過中である。この第２種記録紙Ｐ３においては、先行の第２種記録紙Ｐ１，Ｐ２と同様に、トナー像が透明樹脂層に埋め込まれる。４枚目の第２種記録紙Ｐ４は、搬送路１０７に沿って搬送されており、５枚目の第２種記録紙Ｐ５は、搬送路１０４に沿って搬送されている。以降同様に、第２種記録紙Ｐ４，Ｐ５は、上記ニップ部を通過し、第２種記録紙Ｐ４，Ｐ５上のトナー像が透明樹脂層に埋め込まれる。
【００５７】
次いで、１枚目の第２種記録紙Ｐ１は、対応するシーケンスに基づいて、カッター部８３，８４に送られ、これらのカッター部８３，８４により、第２種記録紙Ｐ１の左右、上下端がそれぞれ裁断される。そして、裁断後の第２種記録紙Ｐ１は、排紙トレイ１３１ｂ上へ排出される。
【００５８】
以降続く第２種記録紙Ｐ２〜Ｐ５は、１枚目の第２種記録紙Ｐ１と同様に、カッター部８３，８４に送られ、これらのカッター部８３，８４により、第２種記録紙Ｐ２〜Ｐ５の左右、上下端がそれぞれ裁断される。そして、裁断後の第２種記録紙Ｐ２〜Ｐ５は、排紙トレイ１３１ｂ上へ排出される。
【００５９】
次に、冷却ファン４３の駆動制御について図８を参照しながら説明する。図８は冷却ファン４３の駆動制御の手順を示すフローチャートである。図８のフローチャートに示す手順は、画像形成装置Ａのコントローラ４００（ＣＰＵ４０１）により実行される。
【００６０】
冷却ファン４３の駆動制御は、画像形成装置Ａのコントローラ４００により行われる。この制御は、ジョブ開始に合わせて開始される。コントローラ４００は、図８に示すように、まず、設定されている定着モードが第１の定着モードであるか第２の定着モードであるかを判別する（ステップＳ２０１）。ここで、第１の定着モードは、第１種記録紙（通常の記録紙）に画像形成を行う場合の定着モードである。第２の定着モードは、第２種記録紙に画像形成を行う場合の定着モードである。この定着モードの設定は、設定された画像形成モードに応じて自動的に行われる。例えば、第１種記録紙を用いる画像形成モードが選択されると、第１の定着モードが設定され、また第２種記録紙を用いる画像形成モードが選択されると、第２の定着モードが設定される。
【００６１】
上記ステップＳ２０１において設定されている定着モードが第１の定着モードであると判別された場合、コントローラ４００は、冷却ファン４３をファン全速回転（ファンオン）で駆動するように制御する（ステップＳ２０２）。そして、コントローラ４００は、本処理を終了する。この後、ジョブが終了すると、コントローラ４００は、冷却ファン４３の駆動を停止する。
【００６２】
上記ステップＳ２０１において設定されている定着モードが第２の定着モードであると判別された場合、コントローラ４００は、給紙される第２種記録紙のマテリアル情報（用紙サイズ、材質などの情報）を取得する（ステップＳ２０３）。続いてコントローラ４００は、第２の定着器５０のコントローラ５００から、上記ステップＳ２０３で取得されたマテリアル情報に対応する第２種記録紙の搬送速度を取得する（ステップＳ２０４）。ここで、取得される搬送速度は、第２の定着器５０内における第２種記録紙の搬送速度である。この搬送速度は、用紙サイズ、材質などに応じて異なるものであり、上記取得されたマテリアル情報と予め対応付けられて第２の定着器５０のコントローラ５００内のＲＯＭに格納されている。
【００６３】
次いで、コントローラ４００は、第１の定着器４０から第２の定着器５０内のベルト定着器５０Ａへ至るまでの搬送距離を取得する（ステップＳ２０５）。ここで、第２の定着器５０の入口からベルト定着器５０Ａへ至るまでの搬送距離は、第２の定着器５０のコントローラ５００から取得される。この搬送距離は、コントローラ５００内のＲＯＭに格納されている。
【００６４】
続いて、コントローラ４００は、第２の定着器５０のコントローラ５００から搬送部停止時間を取得する（ステップＳ２０６）。ここで、取得される搬送部停止時間は、第１の定着器４０から第２の定着器５０内のベルト定着器５０Ａへ至る搬送路の対応する位置で、第２種記録紙が次の処理に対するタイミングを合わせるために一時停止される際の時間である。例えば、搬送部停止時間としては、第２種記録紙がレジストローラ６３により一時停止される時間などがある。この搬送部停止時間は、用紙サイズ、インサータ紙の挿入の有無などに応じて異なるものであり、こられを考慮した搬送部停止時間が取得される。
【００６５】
次いで、コントローラ４００は、第２種記録紙が第１の定着器４０から第２の定着器５０のベルト定着器５０Ａに到達するまでの到達時間を算出する。ここで、上記到達時間は、上記搬送距離と搬送速度とに基づいて得られる搬送時間（＝搬送距離／搬送速度）と、上記搬送部停止時間とが加算されたものである。そして、コントローラ４００は、上記算出された到達時間と予め保持されている温度下降分布データとに基づいて冷却ファン４３の風量を決定する（ステップＳ２０７）。具体的には、冷却ファン４３の風量として、第２種記録紙がベルト定着器５０Ａに到達した際の第２種記録紙の温度（用紙温度）が所定範囲内の温度になるような風量が決定される。ここでは、冷却ファン４３の風量としては、冷却ファン４３が停止された際の第１の風量（＝風量零）と、冷却ファン４３が半速回転（ハーフ）で駆動されたときに得られる第２の風量とのいずれかに決定される。
【００６６】
続いて、コントローラ４００は、上記ステップＳ２０７で決定された冷却ファン４３の風量に応じたファン回転速度で冷却ファン４３を駆動するように制御する（ステップＳ２０８）。例えば決定された冷却ファン４３の風量が第１の風量であるとき、冷却ファン４３は停止される。これに対し、決定された冷却ファン４３の風量が第２の風量であるとき、冷却ファン４３は、半速回転（ハーフ）で駆動される。この冷却ファン４３の半速回転（ハーフ）での駆動は、冷却ファン４３への駆動電流を制御することによって行われる。そして、コントローラ４００は、本処理を終了する。
【００６７】
この後、ジョブが終了すると、コントローラ４００は、冷却ファン４３の駆動を停止する。
【００６８】
次に、第１の定着モードおよび第２の定着モードにおける記録紙の温度変化について図９〜図１２を参照しながら説明する。図９は第１の定着モードにおいて冷却ファン４３を全速回転で駆動した場合の第１種記録紙の温度変化を示す図である。図１０は第２の定着モードにおいて冷却ファン４３を全速回転で駆動した場合の第２種記録紙の温度変化を示す図である。図１１は第１の定着モードにおいて冷却ファン４３を３つのファン回転速度で駆動した場合の第１種記録紙の温度変化を示す図である。図１２は第２の定着モードにおいて冷却ファン４３を３つのファン回転速度で駆動した場合の第２種記録紙の温度変化を示す図である。
【００６９】
第１の定着モードにおいて冷却ファン４３を全速回転で駆動した場合、図９に示すように、第１の定着器４０を通過し、加熱された第１種記録紙は、冷却ファン４３の位置で急速冷却され、第１種記録紙の温度（用紙温度）は急激に低下する。その後、第１種記録紙が冷却ファン４３のエアフローによる冷却効果が作用しない位置まで搬送されると、第１種記録紙の温度は、周囲との温度差により、徐々に低下する。そして、排出口位置において、第１種記録紙の温度が所定温度以下になれば、第１種記録紙におけるカールの成長を最小限に抑えることができる。
【００７０】
第２の定着モードにおいて冷却ファン４３を全速回転で駆動した場合、図１０に示すように、第１の定着器４０を通過し、加熱された第２種記録紙は、冷却ファン４３の位置で急速冷却され、第２種記録紙の温度（用紙温度）は急激に低下する。その後、第２種記録紙が冷却ファン４３のエアフローによる冷却効果が作用しない位置まで搬送されると、第２種記録紙の温度は、周囲との温度差により、徐々に低下する。そして、第２種記録紙は、フラッパ１０７により、ベルト定着器５０Ａへ向けて搬送される。第２種記録紙がベルト定着器５０Ａの定着ベルト５６と加圧ローラ５２との間のニップ部を通過すると、第２種記録紙の温度は急激に上昇する。この際、ベルト定着器５０Ａ（定着ローラ５１および加圧ローラ５２のハロゲンランプ５３，５４）は、上昇温度分の電力を消費し、定着ローラ５１および加圧ローラ５２の表面温度は低下する。
【００７１】
次いで、第２種記録紙が冷却ファン５５による冷却領域内に進入すると、第２種記録紙の温度は、急激に低下する。その後、第２種記録紙が冷却ファン５５の冷却効果が作用しない位置まで搬送されると、第２種記録紙の温度は、周囲との温度差により、徐々に低下する。ここで、第２種記録紙の温度を下げることによって、冷却ファン５５の下流にある搬送ローラ、ガイドリブとの擦れに起因する第２種記録紙における画像の光沢ムラがなくなる。そして、排出口位置において、第２種記録紙の温度が所定温度以下になれば、第２種記録紙におけるカールの成長を最小限に抑えることができる。
【００７２】
次に、第１の定着モードにおいて冷却ファン４３を３つのファン回転速度でそれぞれ駆動した場合の第１種記録紙の温度変化について説明する。
【００７３】
まず、冷却ファン４３を停止（ファンオフ）した場合、図１１に示すように、第１種記録紙の温度（用紙温度）は、急激に低下することなく、排出口位置に搬送されるまでに徐々に低下する。この場合、第１種記録紙はカールし、排出トレイ１３１ａへの積載性が悪化する。また、定着後のトナー像は、乾燥していない状態で、搬送ローラ、ガイドリブなどに擦られることになり、第１種記録紙上の画像に光沢ムラが生じることになる。
【００７４】
冷却ファン４３を半速回転（ファンハーフ）で駆動した場合、冷却ファン４３の停止に比して軽微ではあるが、第１種記録紙にカール、光沢ムラなどが発生する。よって、光沢ムラおよびカールの発生をなくすために、第１の定着モードにおいては、冷却ファン４３を、全速回転（ファンオン）で駆動する制御が行われる。
【００７５】
次に、第２の定着モードにおいて冷却ファン４３を３つのファン回転速度でそれぞれ駆動した場合の第２種記録紙の温度変化について説明する。
【００７６】
まず、冷却ファン４３を全速回転（ファンオン）で駆動した場合、図１２に示すように、第１の定着器４０による定着後の第２種記録紙が搬送ローラ、ガイドリブなど擦れることによる光沢ムラの発生をなくすことができる。しかしながら、ベルト定着器５０Ａ到達時における第２種記録紙の温度（用紙温度）は、非常に低い温度まで低下しており、ベルト定着器５０Ａにおいて第２種記録紙に与える熱量が増大することになる。
【００７７】
ここで、ベルト定着器５０Ａで第２種記録紙を再度加熱することにより、第１の定着器４０による定着後の第２種記録紙に生じた光沢ムラをなくすことは可能であるので、あえて第１の定着器４０通過後の第２種記録紙を冷却ファン４３で急速冷却する必要はない。そして、ベルト定着器５０Ａのニップ部を通過した第２種記録紙は、冷却ファン５５により冷却されるので、第２種記録紙における画像の光沢ムラの発生をなくすことができるとともに、カールによる積載性の悪化を最小限に抑えることができる。よって、第２の定着モードにおいては、ベルト定着器５０Ａに到達する際の第２種記録紙の温度（用紙温度）が所定範囲内の温度になるように、冷却ファン４３を停止（ファンオフ）または半速回転（ファンハーフ）で駆動する制御が行われる。これにより、ベルト定着器５０Ａにおける消費熱量（消費電力）を軽減することができる。
【００７８】
このように、冷却ファン４３をそれぞれモード（ファンハーフ、ファンオフ）で駆動した場合における記録紙の温度変化状態が得られる。よって、ファンハーフ、ファンオフに対応する記録紙の温度変化状態を示す曲線は、冷却ファン４３の風量の決定のための温度下降分布データまたはそれを作成するための基準データとして用いられる。
【００７９】
本実施の形態においては、画像形成モードに応じて第１の定着モードまたは第２の定着モードが設定される。これに代えて、ユーザ操作により定着モードとして、第１の定着モードまたは第２の定着モードを選択して設定するようにしてもよい。
【００８０】
また、第２の定着モード時に第２の定着器５０内でジャムなどが発生した場合、定着モードを第１の定着モードへ切り換え、第１の定着器４０を通過した第２種記録紙を排出トレイ１３１ａへ排出するようにしてもよい。
【００８１】
また、図８の上記ステップＳ２０７において、算出された到達時間および予め保持されている温度下降分布データの他に、温度センサ１０９の出力を考慮し、これらに基づいて冷却ファン４３の風量（ファン回転速度）を決定するようにしてもよい。これにより、第２種記録紙の温度と周囲の温度との差に応じて第２種記録紙の温度の低下の度合いが異なることを考慮することができる。その結果、ベルト定着器５０Ａに到達する際の第２種記録紙の温度を確実に所定範囲内の温度にするような冷却ファン４３の風量（ファン回転速度）を決定することができる。
【００８２】
また、冷却ファン４３の風量を３以上の多段階に切り換えるようにしてもよい。また、冷却ファン４３の風量（ファン回転速度）を直接制御することに代えて、ダンパなどの風量調節機構を設けて、風量を制御するような構成を採用することも可能である。
【００８３】
このように、本実施の形態によれば、ベルト定着器５０Ａにおける無駄な電力消費の増大および駆動機構の大型化を招くことなく、光沢ムラがない高画質な画像を安定に出力することができる。
【００８４】
（第２の実施の形態）
次に、本発明の第２の実施の形態について図１３および図１４を参照しながら説明する。図１３は本発明の第２の実施の形態に係る画像形成装置の構成を示す縦断面図である。図１４は冷却ファン４３の駆動制御の手順を示すフローチャートである。図１４のフローチャートに示す手順は、画像形成装置Ａのコントローラ４００により実行される。
【００８５】
本実施の形態の画像形成装置は、第２種記録紙のみを用いて画像形成を行う専用装置として構成されている。すなわち、本実施の形態は、上記第１の実施の形態に対して、第２の定着モードのみを実行可能な点で異なる。
【００８６】
具体的には、図１３に示すように、画像形成装置Ａに接続されている第２の定着器５０’が、画像形成装置Ａから排出された記録紙（第２種記録紙）の全てを、ベルト定着器５０Ａへ導くように構成されている。すなわち、この第２の定着器５０’においては、上記第１の実施の形態の第２の定着器５０に対して、排出トレイ１３１ａ、フラッパ１０７が設けられていない。それ以外の構成に関しては、第２の定着器５０と同じである。また、画像形成装置Ａは、上記第１の実施の形態と同じである。よって、上記第１の実施の形態と同じ部材またはブロックには、同一の符号を付すものとし、また同一の符号を用いて説明する。
【００８７】
次に、冷却ファン４３の駆動制御について図１４を参照しながら説明する。図１４は冷却ファン４３の駆動制御の手順を示すフローチャートである。図１４のフローチャートに示す手順は、画像形成装置Ａのコントローラ４００により実行される。
【００８８】
冷却ファン４３の駆動制御は、画像形成装置Ａのコントローラ４００により行われる。この制御は、ジョブ開始に合わせて開始される。コントローラ４００は、図１４に示すように、まず、給紙される第２種記録紙のマテリアル情報（サイズ、材質などの情報）を取得する（ステップＳ１００３）。続いてコントローラ４００は、第２の定着器５０のコントローラ５００から、上記ステップＳ１００３で取得されたマテリアル情報に対応する第２種記録紙の搬送速度を取得する（ステップＳ１００４）。
【００８９】
次いで、コントローラ４００は、第１の定着器４０から第２の定着器５０内のベルト定着器５０Ａまでの搬送距離を取得する（ステップＳ１００５）。続いて、コントローラ４００は、搬送部停止時間を取得する（ステップＳ１００６）。そして、コントローラ４００は、第２種記録紙が第１の定着器４０から第２の定着器５０のベルト定着器５０Ａに到達するまでの到達時間を算出する。そして、コントローラ４００は、上記算出された到達時間と予め保持されている温度下降分布データとに基づいて冷却ファン４３の風量（ファン回転速度）を第１および第２の風量のいずれかにするように決定する（ステップＳ１００７）。
【００９０】
次いで、コントローラ４００は、上記ステップＳ１００７で決定された冷却ファン４３の風量に応じたファン回転速度で冷却ファン４３を駆動するように制御する（ステップＳ１０８）。ここで、例えば決定された冷却ファン４３の風量が第１の風量であるとき、冷却ファン４３は、停止される。これに対し、決定された冷却ファン４３の風量が第２の風量であるとき、冷却ファン４３は、半速回転（ファンハーフ）で駆動される。そして、コントローラ４００は、本処理を終了する。
【００９１】
この後、ジョブ終了が終了すると、コントローラ４００は、冷却ファン４３の駆動を停止する。
【００９２】
本発明の目的は、実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【００９３】
この場合、記憶媒体から読み出されたプログラムコード自体が前述した実施の形態の機能を実現することになり、そのプログラムコードを記憶した記憶媒体は本発明を構成することになる。
【００９４】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードを、ネットワークを介してダウンロードしてもよい。
【００９５】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００９６】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【００９７】
また、コンピュータが読み出したプログラムコードを実行することにより、前述した各実施の形態の機能が実現されるだけでなく、そのプログラムコードの指示に基づき、コンピュータ上で稼働しているＯＳなどが実際の処理の一部または全部を行い、その処理によって前述した各実施の形態の機能が実現される場合も、本発明に含まれることはいうまでもない。
【００９８】
この場合、上記プログラムは、該プログラムを記憶した記憶媒体から直接、又はインターネット、商用ネットワーク、若しくはローカルエリアネットワーク等に接続された不図示の他のコンピュータやデータベース等からダウンロードすることにより供給される。
【００９９】
上記プログラムの形態は、オブジェクトコード、インタプリタにより実行されるプログラムコード、ＯＳ（オペレーティングシステム）に供給されるスクリプトデータ等の形態から成ってもよい。
【図面の簡単な説明】
【０１００】
【図１】本発明の第１の実施の形態に係る画像形成装置の構成を示す縦断面図である。
【図２】図１の画像形成装置Ａおよび第２の定着器５０を含む装置全体の制御を行う制御構成を示すブロック図である。
【図３】（ａ）は第１の定着器４０を通過した後の第２種記録紙上のトナー像の定着状態を模式的に示す図、（ｂ）はベルト定着器５０ＡＡを通過した後の第２種記録紙上のトナー像の定着状態を模式的に示す図である。
【図４】第２の定着器５０の定着ベルト５６から第２種記録紙が剥離する際の状態を模式的に示す図である。
【図５】第２種記録紙を用いて連続して画像形成を行う場合の第２種記録紙の流れを模式的に示す図である。
【図６】第２種記録紙を用いて連続して画像形成を行う場合の第２種記録紙の流れを模式的に示す図である。
【図７】第２種記録紙を用いて連続して画像形成を行う場合の第２種記録紙の流れを模式的に示す図である。
【図８】冷却ファン４３の駆動制御の手順を示すフローチャートである。
【図９】第１の定着モードにおいて冷却ファン４３を全速回転で駆動した場合の第１種記録紙の温度変化を示す図である。
【図１０】第２の定着モードにおいて冷却ファン４３を全速回転で駆動した場合の第２種記録紙の温度変化を示す図である。
【図１１】第１の定着モードにおいて冷却ファン４３を３つのファン回転速度で駆動した場合の第１種記録紙の温度変化を示す図である。
【図１２】第２の定着モードにおいて冷却ファン４３を３つのファン回転速度で駆動した場合の第２種記録紙の温度変化を示す図である。
【図１３】本発明の第２の実施の形態に係る画像形成装置の構成を示す縦断面図である。
【図１４】冷却ファン４３の駆動制御の手順を示すフローチャートである。
【符号の説明】
【０１０１】
Ａ  画像形成装置
４０  第１の定着器
４３  冷却ファン
５０  第２の定着器
５０Ａ，５０Ａ’  ベルト定着器
１０４，１０５  搬送路
１０７  フラッパ
４００，５００  コントローラ
４０１  ＣＰＵ
４０２  ＲＯＭ
【図１】
0004794952.tif 000002
【図２】
0004794952.tif 000003
【図３】
0004794952.tif 000004
【図４】
0004794952.tif 000005
【図５】
0004794952.tif 000006
【図６】
0004794952.tif 000007
【図７】
0004794952.tif 000008
【図８】
0004794952.tif 000009
【図９】
0004794952.tif 000010
【図１０】
0004794952.tif 000011
【図１１】
0004794952.tif 000012
【図１２】
0004794952.tif 000013
【図１３】
0004794952.tif 000014
【図１４】
0004794952.tif 000015